(57)【要約】【課題】本発明は枚葉紙印刷機の運転方法、すなわちストッパ作動後に枚葉紙印刷機から印刷枚葉紙を排出させるための方法に関する。【解決手段】本発明装置では、印刷のために少なくとも印刷装置の圧胴は主駆動部又は各主駆動部によって駆動され、印刷装置の他のシリンダ又はローラは、各シリンダ又はローラに配設された各補助駆動部によって独立モータで駆動され、ストッパの作動後に給紙装置は接続を解除される。本発明では、ストッパが作動した後、主駆動部又は各主駆動部は一定回転数又は寸動モードの寸動回転数で振動するように駆動され、これにより印刷枚葉紙は、一定回転数又は寸動回転数で駆動される転写胴及び圧胴によって印刷装置から排出可能とされる。一方、補助駆動部又は各補助駆動部は、低回転数で駆動されるので、印刷枚葉紙が印刷装置から排出される間、印刷装置の版胴及びインキ装置は印刷装置の転写胴及び圧胴よりも低い回転数で駆動される。【選択図】図１
2009067053.tif 000002
【特許請求の範囲】
【請求項１】
枚葉紙印刷機の運転方法、すなわちストッパの作動後に前記枚葉紙印刷機から印刷枚葉紙を排出させるための方法であって、
前記枚葉紙印刷機は、複数の印刷装置と、少なくとも一つの主駆動部と、前記主駆動部又は各前記主駆動部と同期可能な複数の補助駆動部とを有し、
各前記印刷装置は、版胴と、前記版胴に当接した状態で回転する転写胴と、前記転写胴に当接した状態で回転する圧胴と、インキ装置と、好ましくは湿し装置とを有し、
印刷のために、少なくとも前記印刷装置の前記圧胴は、前記主駆動部又は各前記主駆動部の独立モータで駆動され、前記印刷装置の他の胴又はローラは、前記各胴又は前記ローラにそれぞれ配設された補助駆動部の独立モータで駆動され、
前記ストッパの作動後に前記給紙装置が接続解除される枚葉紙印刷機の運転方法において、
前記ストッパが作動した後、前記主駆動部又は各主駆動部は、一定回転数又は寸動モードにおける寸動回転数で振動した状態で駆動され、これにより印刷枚葉紙は、一定回転数又は寸動回転数で駆動される転写胴及び圧胴によって前記印刷装置から排出され、
前記補助駆動部又は各補助駆動部は、より低い回転数で駆動され、これにより印刷枚葉紙が前記印刷装置から排出される間、前記印刷装置の前記版胴及び前記インキ装置は、前記印刷装置の前記転写胴及び前記圧胴よりも低い回転数で駆動されることを特徴とする枚葉紙印刷機の運転方法。
【請求項２】
印刷の間、前記印刷装置の前記転写胴と前記圧胴と前記インキ装置とが、前記主駆動部又は各主駆動部によって駆動されることを特徴とする請求項１に記載の方法。
【請求項３】
排出の間、前記印刷装置の前記版胴と前記インキ装置とがそれぞれ前記印刷装置の補助駆動部によって駆動されることを特徴とする請求項１又は２に記載の方法。
【請求項４】
最後の印刷枚葉紙が排出された後、前記給紙装置が前記主駆動部に連結されることを特徴とする請求項１〜３のいずれか一項に記載の方法。
【請求項５】
前記排出が行われる間、前記補助駆動部又は各前記補助駆動部が駆動される回転数が、前記主駆動部又は各前記主駆動部の一定回転数よりも低いことを特徴とする請求項１〜４のいずれか一項に記載の方法。
【請求項６】
前記排出が行われる間、前記補助駆動部又は各前記補助駆動部が駆動される回転数が、前記主駆動部又は各前記主駆動部の寸動回転数よりも低いことを特徴とする請求項１〜４のいずれか一項に記載の方法。
【請求項７】
前記排出が行われる間、前記補助駆動部又は各前記補助駆動部が駆動される回転数が、前記主駆動部又は各前記主駆動部の寸動モード時の平均回転数よりも低いことを特徴とする請求項６に記載の方法。
【発明の詳細な説明】
【技術分野】
【０００１】
本発明は、請求項１のおいて書き部分に記載の枚葉紙印刷機の運転方法に関する。
【背景技術】
【０００２】
枚葉紙印刷機には、給紙装置と、排紙装置と、前記給紙装置と前記排紙装置の間に位置する複数の印刷装置が備えられている。印刷枚葉紙を印刷するために、当該印刷枚葉紙は前記給紙装置から枚葉紙印刷機の内部へ送り込まれ、順々に前記印刷装置を通過するように移動させられ、印刷枚葉紙が印刷された後、当該印刷枚葉紙は排紙装置の領域において枚葉紙印刷機から排出される。枚葉紙印刷機の生産可能性が高くなればなるほど、前記給紙装置と前記排紙装置の間の印刷装置は数多く必要となる。
【０００３】
実践から、少なくとも一つの主駆動部に加えて、前記印刷装置に配設され前記主駆動部又は各主駆動部と同期可能な補助駆動部、特に直接駆動部を備えた枚葉紙印刷機が知られている。前記印刷装置に配設された補助駆動部は、例えば前記印刷装置の版胴において駆動する。
【０００４】
この種の印刷機で印刷を行う場合、典型的には、前記印刷装置の版胴以外のすべてのアセンブリが前記主駆動部又は各駆動部によって駆動されるが、これに対して前記印刷装置の版胴は、当該版胴に配設された補助駆動部によって、特に直接駆動部によって独立モータで駆動される。
【０００５】
前記枚葉紙印刷機は通常、給紙装置の領域にいわゆる損紙検知装置を備えているが、損紙とは少なくとも特性の点で正常な印刷枚葉紙と異なる印刷枚葉紙と理解されるものである。例えば、二枚重ねとなった枚葉紙、数枚重ねとなった枚葉紙、あるいは斜めになった枚葉紙が損紙となり得る。損紙は印刷機のストッパを作動させる。しかしながら、ストッパは他の要因によっても作動され得る。
【０００６】
実践では、ストッパが作動すると、当該ストッパ作動後に前記給紙装置は接続が解除され、前記印刷装置の領域に存在するすべての印刷枚葉紙は前記排紙装置の領域に搬送されるが、このとき前記印刷機は一定回転数か、あるいは段階的な寸動回転数で、印刷を停止した状態で前方に回転するように運転される。
【０００７】
前記印刷枚葉紙が搬出されている間、インキが前記印刷装置のインキ装置から前記版胴に設けられた印刷版に移されることはないため、連続印刷中に形成されるインキ膜厚の高低差は、前記印刷枚葉紙が搬出される間、比較的高い平均値で一定する。さらにインキローラの横断方向の往復運動によって、インキ着けが行われる区画の境界線が不明瞭になる。結果として、ストッパを取り除いた後印刷を再開すると、再び望ましいインキ着けが実現するまでに多数の損紙が印刷されることになる。そこで、ストッパを取り除いた後の始運転時の損紙を削減し得るような新しい枚葉紙印刷機の運転方法が必要となる。
【発明の開示】
【発明が解決しようとする課題】
【０００８】
本発明の課題は、上記点に鑑み、枚葉紙印刷機の新しい運転方法を創出することにある。
【課題を解決するための手段】
【０００９】
本課題は、請求項１に記載の方法により解決される。本発明ではストッパが作動した後、前記主駆動部又は各主駆動部は、一定回転数、あるいは寸動モードにおいて寸動回転数で、振動するように駆動されており、それによって印刷枚葉紙は、一定回転数あるいは寸動回転数で駆動される転写胴及び圧胴によって前記印刷装置から排出され得るが、他方前記補助駆動部又は各補助駆動部は、より低い回転数で駆動されており、そのため前記印刷装置の版胴及びインキ装置は、印刷枚葉紙が前記印刷装置から排出される間、前記印刷装置の転写胴及び対向圧胴よりも低い回転数で駆動される。
【００１０】
本願に係る方法では、ストッパの作動によって起こる印刷枚葉紙の排出に際して、前記印刷装置の版胴及びインキ装置を共に前記印刷装置の補助駆動部によって駆動することが提案されている、つまり前記主駆動部又は各主駆動部と、それに伴い前記印刷装置の圧胴及び転写胴とが駆動される回転数よりも低い回転数で駆動するというものである。それによって、ストッパによって起こる前記枚葉紙印刷機からの印刷枚葉紙の排出に際して、前記インキ膜厚の高低差の均一化に対抗され得る。印刷再開後、明らかにより短い時間で望ましいインキ着けが実現可能となるため、損紙の印刷も大幅に削減可能である。
【００１１】
本発明の有利なさらなる形成は個々の従属請求項と後続の詳細な説明に記載されている。本発明の実施例については、これに限定することなく、図面を用いて詳述する。
【発明を実施するための最良の形態】
【００１２】
本願発明は、給紙装置、排紙装置、及び前記給紙装置と前記排紙装置との間に位置する複数の印刷装置を備えている枚葉紙印刷機の運転方法に関する。図１の枚葉紙印刷機を参照しつつ本願発明を以下に説明するが、当該枚葉紙印刷機は４つの印刷装置１０、１１、１２、１３を備えている。
【００１３】
図１に表わす前記枚葉紙印刷機の各印刷装置１０、１１、１２、１３は、圧胴１４と、転写胴１５と、インキ装置１６と、版胴１７とを備えている。各印刷装置は、湿し装置をさらに備えている場合がある。図１に表わす実施例では、隣り合う２つの印刷装置１０と印刷装置１１との圧胴１４同士の間、印刷装置１１と印刷装置１２との圧胴１４同士の間、及び印刷装置１２と印刷装置１３との圧胴１４同士の間には、渡し胴１８がそれぞれ配置されている。これにより印刷されるべき被印刷材料である枚葉紙は、各印刷装置１０、１１、１２、１３の間を移送可能になっている。
【００１４】
図１に表わす前記印刷機は、印刷装置１０の圧胴１４を駆動する主駆動部１９を備えている。主駆動部１９によって、すべての圧胴１４と、すべての転写胴１５と、印刷装置１０、１１、１２、１３のインキ装置１６と、すべての渡し胴１８とが閉じた歯車列のように駆動可能とされる。図１に表わすように、主駆動部１９に加えて主駆動部１９’を設けることによって、閉じた歯車列の中心を分散させて駆動可能となる。図１に表わすように、各版胴１７には、独立した直接駆動部２０として形成され、且つ、主駆動部又は各主駆動部１９、１９’と同期させることができる補助駆動部が配設されている。これにより、すべての印刷装置１０、１１、１２、１３の版胴１７は独立モータによって駆動される。この場合、各印刷装置１０、１１、１２、１３の版胴１７は、それぞれクラッチ２１を介して、圧胴１４と転写胴１５と渡し胴１８とが連結された閉じた歯車列から接続解除可能とされる。
【００１５】
図１に表わすように、クラッチ２２が、クラッチ２１に加えて設けられている場合がある。この場合には、インキ装置１６は、クラッチ２２によって閉じた歯車列から接続解除可能とされる。
【００１６】
上述の如く印刷するためには、すべての圧胴１４、すべての渡し胴１８、すべての転写胴１５、及びすべてのインキ装置１６が主駆動部１９によって駆動されるが、そのためにはクラッチ２１が切れており、クラッチ２２が繋がっている必要がある。従って、印刷時において、版胴１７は、駆動部側で主駆動部１９との連結を解除されることによって、前記印刷機の残りの印刷装置との連結が解除されている一方、インキ装置１６は、駆動部側で主駆動部１９に連結されている。版胴１７が版胴１７の直接駆動部２０の独立モータによって駆動されることによって、印刷が実施される。このような枚葉紙印刷機においてストッパが作動すると、最初に給紙装置が主駆動部との接続を解除され、その結果、新しい印刷枚葉紙が枚葉紙印刷機内に搬送されなくなる。
【００１７】
本発明における方法では、ストッパの作動後に主駆動部又は各主駆動部１９、１９’が好適に一定回転数で駆動されることによって、印刷枚葉紙は、一定回転数で駆動される転写胴１５、圧胴１４、及び渡し胴１８によって印刷装置から排出される。
【００１８】
これに対して、直接駆動部２０は一定回転数よりも低い回転数で駆動され、印刷枚葉紙が排出する場合には、版胴１７及びインキ装置１６は版胴１７の直接駆動部２０によって駆動される。印刷枚葉紙を排出するために、クラッチ２１が繋げられ、且つクラッチ２２は切られる。
【００１９】
従って、ストッパ作動後に印刷枚葉紙を排出する場合には、印刷装置の版胴１７及びインキ装置１６は、転写胴１５、圧胴１４、及び渡し胴１８よりも低い回転数で駆動される。ストッパ作動後に印刷枚葉紙を排出する場合には、印刷装置の版胴１７及びインキ装置１６は、印刷装置の直接駆動部２０と同期して駆動されるので、印刷再開時にインキ装置１６同士を同期させる必要がない。
【００２０】
印刷枚葉紙を排出する際には、インキ装置１６が常に版胴１７と同期して駆動されるので、印刷再開のために版胴１７が主駆動部１９と同期される場合には、インキ装置１６も主駆動部又は各主駆動部１９、１９’と自動的に同期され、その結果、クラッチ２１が切れ、且つクラッチ２２を繋がり、少ない労力でインキ装置を主駆動部又は各主駆動部１９、１９’に再連結可能となる。
【００２１】
印刷枚葉紙を排出するために圧胴１４、渡し胴１８、及び転写胴１５を一定回転数で駆動することによって、比較的短時間で印刷枚葉紙が枚葉紙印刷機から排出される。一方、インキ装置１６及び版胴１７の回転数を低くすることによって、インキ膜厚を均一化し、過剰なインキ着けとインキプロファイルの境界の不明瞭化とを防止することができる。
【００２２】
印刷枚葉紙を排出する際には、印刷装置の直接駆動部２０によって版胴１７及びインキ装置１６を独立して制御し、これにより直接駆動部の回転数を一定回転数に対して任意に小さくすることができる。極端な場合には、インキ装置１６及び版胴１７を停止又は休止可能である。
【００２３】
本発明では、ストッパが作動した後に、主駆動部又は各主駆動部１９、１９’が寸動モードにおいて寸動回転数で振動した状態で駆動可能である。これにより印刷枚葉紙は、寸動回転数で駆動される転写胴１５と圧胴１４と渡し胴１８とによって印刷装置から排出可能とされる。この場合でも、直接駆動部２０は寸動回転数よりも低い回転数で駆動され、版胴１７及びインキ装置１６は、印刷枚葉紙を排出する際に版胴１７の直接駆動部２０によって駆動される。好適には、直接駆動部２０が排出時に駆動される回転数は、主駆動部又は各主駆動部１９、１９’の寸動モード時の平均回転数よりも低い。
【００２４】
図１を参照しつつ、印刷装置に配設された補助駆動部が版胴に配設された直接駆動部として実施される場合における本発明を説明した。それとは別に、例えば直接駆動部として形成された補助駆動部が転写胴に配設され、補助駆動部が印刷時に転写胴において駆動することも可能である。また、補助駆動部が印刷装置のインキ装置に配設され、当該補助駆動部が印刷に際してインキ装置のローラにおいて駆動することも可能である。
【図面の簡単な説明】
【００２５】
【図１】本発明における枚葉紙印刷機の運転方法を明確に示す枚葉紙印刷機の概略図である。
【符号の説明】
【００２６】
１０  印刷装置
１１  印刷装置
１２  印刷装置
１３  印刷装置
１４  圧胴
１５  転写胴
１６  インキ装置
１７  版胴
１８  渡し胴
１９  主駆動部
１９’  主駆動部
２０  直接駆動部
２１  クラッチ
２２  クラッチ
【図１】
2009067053.tif 000003